(57)【特許請求の範囲】
【請求項１】
無線通信システムにおける端末が測定を実行する方法であって、
測定制御メッセージを受信するステップと、
前記端末の性能に基づいて、測定する周波数に特定して圧縮モードを適用できるか否かを決定するステップと、
前記測定する周波数に特定して圧縮モードを適用できると、前記測定する周波数が属する周波数帯域のみに圧縮モードを適用して前記周波数に対する測定を実行するステップとを含み、
前記測定する周波数は、前記端末が使用する周波数ではなく、
前記圧縮モードは、前記測定制御メッセージにより決定された前記測定する周波数に対する圧縮モードパターンによって適用され、
キャリア別に又はキャリアグループ別に圧縮モード伝送ギャップパターンを構成する
ことを特徴とする方法。
【請求項２】
前記測定する周波数に対して圧縮モードが必要であるか否かを、前記端末の性能に基づいて決定するステップをさらに含む
ことを特徴とする請求項１に記載の方法。
【請求項３】
無線通信システムにおける測定を実行する端末装置であって、
測定制御メッセージを受信し、基地局と通信する送受信器と、
端末の性能に基づいて、測定する周波数に特定して圧縮モードを適用できるか否かを決定し、前記測定する周波数に特定して圧縮モードを適用できると、前記測定する周波数が属する周波数帯域のみに圧縮モードを適用して前記周波数に対する測定を実行する測定モジュールとを含み、
前記測定する周波数は、前記端末が使用する周波数ではなく、
前記圧縮モードは、前記測定制御メッセージにより決定された前記測定する周波数に対する圧縮モードパターンによって適用され、
前記基地局は、キャリア別に又はキャリアグループ別に圧縮モード伝送ギャップパターンを構成する
ことを特徴とする端末装置。
【請求項４】
前記測定モジュールは、
前記測定する周波数に対して圧縮モードが必要であるか否かを、前記端末の性能に基づいて決定するようにさらに構成される
ことを特徴とする請求項３に記載の端末装置。
【発明の詳細な説明】
【技術分野】
【０００１】
本発明は無線通信システムに関し、特にマルチキャリア環境で測定の実行に関する。
【背景技術】
【０００２】
一般的なセルラー無線システムで、ユーザ端末（ＵＥ）は、無線接続ネットワークを介して一つ以上のコアネットワークと通信する。無線電話機（又は携帯電話とも言う）、無線通信機能を含むラップトップ、ＰＤＡなどの多様な種類の機器を含む。
【０００３】
ＵＭＴＳ（Universal Mobile Terrestrial System）で、ＵＥは、無線ネットワーク制御機（radio network controller:ＲＮＣ）に提供される周波数帯域のセットを伝達する。したがって、ＲＮＣは、上記ＵＥに対してダウンリンク／アップリンクデータの伝送／受信を実行するための周波数帯域のセットを構成する。いずれも、ＲＮＣは、周波数帯域に対応する周波数に対する測定を実行するようにＵＥに要請することができる。上記ＵＥの各々は、上記設定周波数帯域に対応する要請された上記周波数に対する測定を実行することができて、測定レポートをＲＮＣに伝達する。例えば、ＲＮＣは、（例えば、ハンドオーバ（Handover:ＨＯ）中）ネットワークパラメータを最適化するために受信した測定レポートを利用することがある。
【０００４】
上記ＵＥは、他の周波数（周波数間（inter-frequency））に対して測定する場合、又は、相異なる無線接続技術（Radio Access Technology:ＲＡＴ）（ＲＡＴ間（inter-ＲＡＴ））に対して測定する場合、圧縮モード（Compressed Mode）を利用することができる。周波数間測定は、同一又は異なるＵＭＴＳ帯域内の異なる周波数のチャンネル間で実行される。ＲＡＴ間測定は、相異なる無線接続技術（例えば、ＧＳＭ（登録商標）及びＵＭＴＳ）のチャンネル間で実行される。
【０００５】
上記圧縮モードで、上記ＵＥのために構成された上記周波数帯域に対する、上記ＵＥによる伝送及び受信は期間によって中断される。この期間は普通、伝送ギャップ（Transmission Gap）という。すなわち、上記伝送ギャップは、アップリンク又はダウンリンク活動が実行されない持続時間である。したがって、上記伝送ギャップの間、上記ＵＥは、他の周波数に対する測定を実行する。一旦、測定が行われると、上記ＵＥがキャンプオン（camp on）された上記周波数帯域に対する伝送及び受信を再開する。
【０００６】
一般的に、上記ＵＥは、上記ＵＥのために構成された複数の周波数帯域に対して同時にデータ送受信を実行することができる。例えば、ＵＭＴＳで、ＤＢ−ＨＳＤＰＡは、２個の異なる周波数帯域に属する２個のキャリアに受信されたＨＳＤＰＡ（High Speed Downlink Packet Access）チャンネルを含む 。同様に、４Ｃ−ＨＳＤＰＡは、２個の周波数帯域に属する多くても４個のキャリアに受信されるＨＳＤＰＡチャンネルを含む。
【先行技術文献】
【非特許文献】
【０００７】
【非特許文献１】Motorola，Measurement of Configured Component Carriers，R2-103170，3GPP，2010.05.04
【発明の概要】
【発明が解決しようとする課題】
【０００８】
上記ＲＮＣは、上記ＵＥに、上記設定周波数帯域のうち、一つに対応する周波数のための測定を行って、上記ＲＮＣに測定レポートを報告するように要請することができる。上記ＵＥは、上記ＵＥの性能によって要請された上記周波数帯域に対して測定を実行するために圧縮モードが活性化されるように要請されたか否かを判定することができる。仮に、上記ＵＥが圧縮モードを利用するように判定する場合、上記ＵＥは、要請された上記周波数帯域に対する測定を実行するために、全ての上記設定周波数帯域のために圧縮モードを活性化する。要請されなかった上記周波数帯域に対する圧縮モードを適用すれば、測定がＲＮＣにより要請されなかった周波数帯域に対して実行されるデータ送受信を妨害することがある。ＬＴＥ（Long Term Evolution）搬送波集合ネットワークなどの他の無線ネットワークシステムでもｅＮｏｄｅＢにより測定が要請されたコンポーネントキャリアと共に測定が要請されていないコンポーネントキャリアのために測定ギャップが活性化されて同一な問題が発生することがある。
【課題を解決するための手段】
【０００９】
本発明は、マルチキャリア環境で測定を実行する方法及び装置を提供する。一実施形態によれば、周波数帯域のうち一つに対応する周波数に対する測定を実行する要請が基地局から受信される。ユーザ端末の性能によって、上記周波数帯域のうち一つに対応する周波数に対して圧縮モードが適用されるか否かを判定する。圧縮モードが適用される場合、上記圧縮モードが上記周波数帯域のうち一つに対応する上記周波数に対して適用されて、残りの上記周波数帯域に対してデータ活動（data activity）を妨害することなく、上記周波数帯域に対応する上記周波数に対して測定が実行される。圧縮モードが適用されない場合、圧縮モードを適用することなく、上記周波数帯域に対応する上記周波数に対して測定が実行される。
【図面の簡単な説明】
【００１０】
【図１】一実施形態による周波数帯域に対して測定を実行する無線通信システムのブロック図である。
【図２】一実施形態によるＵＭＴＳネットワーク環境で周波数帯域の周波数に対して測定を実行する方法の一例を示すフローチャートである。
【図３】他の実施形態によるＬＴＥネットワーク環境で周波数帯域の周波数に対する測定を実行する方法の一例を示すフローチャートである。
【図４】本願発明の実施形態を実現するための多様な構成要素を示す上記ユーザ端末のブロック図である。
【発明を実施するための形態】
【００１１】
本発明は、マルチキャリア環境で測定を実行する方法及び装置を提供する。以下、本発明の望ましい実施形態の詳細な説明が本明細書の一部を構成して、本発明が実施される特定の実施形態を説明するために記載された図面を参照して説明する。この実施形態は、当業者が本発明を実施することができるように十分に詳細に記載されていて、他の実施形態を利用することができ、本発明の範囲及び趣旨を逸脱することなく、変形が可能である。
下記記載は、本発明を限定するように解析されてはならず、本発明の保護範囲は添付した特許請求の範囲により定義される。
【００１２】
図１は、一実施形態による周波数帯域に対して測定を実行する無線通信システム１００のブロック図である。図１で、無線通信システム１００は、基地局１０２、ユーザ端末（ＵＥ）１０４、及び無線ネットワーク１０６を含む。ユーザ端末１０４は、マルチキャリア環境で周波数帯域の周波数に対して測定を実行するための測定モジュール１０８を含む。
【００１３】
基地局１０２は、ＬＴＥ（longterm evolution）ネットワークのｅＮｏｄｅＢ、又はＵＭＴＳ（Universal Mobile Terrestrial System）ネットワークのＮｏｄｅＢであり得る。ＵＥ１０４は、提供される周波数帯域に対して測定を行って基地局１０２に知らせることができる携帯電話、ＰＤＡ、スマートフォン、無線連結可能なラップトップ、タブレットなどであり得る。無線ネットワーク１０６は、ＬＴＥネットワーク、ＵＭＴＳネットワーク、又は上記提供される周波数帯域に対して測定を実行するＵＥ１０４が必要などの無線ネットワークでもよい。
【００１４】
一例によれば、ＵＥ１０４は、基地局１０２を介して、ＵＭＴＳネットワークのＲＮＣ（radio network controller）（図示せず）にアップリンク及びダウンリンクデータ送受信のために提供される周波数帯域のセットを示す。ＲＮＣは、アップリンク及びダウンリンクデータパケット通信のための、ＵＥ１０４が提供する周波数帯域のセットを構成する。無線ネットワーク１０６を最適化するために、上記ＲＮＣは、所望の周波数帯域に対応する周波数に対して測定を実行するＵＥ１０４が必要になることがある。したがって、ＵＥ１０４は、所望の上記周波数帯域に対応する周波数に対して測定を実行する基地局１０２から要請を受信する。
【００１５】
上記要請によって、測定モジュール１０８は、要請された上記周波数が設定周波数帯域と関連するか否かを判定する。要請された上記周波数が上記設定周波数帯域に対応すれば、測定モジュール１０８は、ＵＥ１０４の性能によって、圧縮モードを所望の上記周波数帯域の周波数に適用するか否かを判定する。圧縮モードを適用する場合、測定モジュール１０８は、所望の上記周波数帯域の周波数に圧縮モードを適用して、圧縮モードの間に形成された伝送ギャップで、所望の上記周波数帯域に対応する所望の周波数に対して測定を実行する。そうでない場合、測定モジュール１０８は、上記圧縮モードを適用することなく、上記周波数帯域に対応する所望の周波数に対して測定を実行する。したがって、ＵＥ１０４は、所望の上記周波数帯域の周波数での測定を含む測定レポート測定レポートを基地局１０２に伝達する。
【００１６】
基地局１０２から上記設定周波数帯域のうち一つに対応する少なくとも一つの周波数に対する測定の要請を受信した場合、測定モジュール１０８は、ＵＥ１０４のために構成された全ての周波数帯域の全体セットに対して圧縮モードを適用する必要がないことは当業者にとっては明らかである。これは、ＵＥ１０４のために構成された要請されなかった周波数帯域に対するデータ送受信でインタラプションを避けるようにする。例えば、ＤＢ−ＨＳＤＰＡの場合、測定モジュール１０８は、ＵＥ１０４のために構成されたデュアル周波数帯域のうち少なくとも一つに圧縮モードを適用する。同じ方式で、４Ｃ−ＨＳＤＰＡの場合、測定モジュール１０８は、２個の周波数帯域に対応する４個のキャリアから所望のキャリアに圧縮モードを適用する。
【００１７】
測定モジュール１０８は、所望の上記周波数帯域が上記設定周波数帯域のうち一つでない場合、ＵＥ１０４が提供する全ての上記設定周波数帯域に圧縮モードを適用する。したがって、測定モジュール１０８は、伝送ギャップで上記周波数帯域の各々と関連する周波数に対して測定を実行する。そして、ＵＥ１０４は測定情報を含む測定レポートを基地局１０２に伝達する。
【００１８】
上記の過程は、ＬＴＥネットワークで測定を実行する間にも、周波数帯域に適用されることができる。例えば、ＵＥ１０４は、ｅＮＢ１０２にアップリンク及びダウンリンクデータ送受信のために提供される周波数帯域のセットを示すことができる。ｅＮＢ１０２は、アップリンク及びダウンリンクデータパケットを伝達するためのＵＥ１０４が提供する周波数帯域のセットを構成することができる。無線ネットワーク１０６を最適化するために、ｅＮＢ１０２は、選択周波数帯域に対応する周波数に対して測定を実行するＵＥ１０４が必要になることがある。したがって、ＵＥ１０４は、所望の上記周波数帯域に対応する上記周波数に対して測定を実行するｅＮＢ１０２から要請を受信する。
【００１９】
要請によって、仮に、上記ＵＥＣＡ性能（ＵＥＣＡ capability）が一つの周波数帯域より拡張されているか、又は設定周波数を受信／測定する追加的な性能を有するＵＥ１０４が現在構成されたことより拡張されていると、測定モジュール１０８は、使用されなかったコンポーネントキャリアセットと、上記該当ＲＦチェーンを利用するＵＥ１０４の性能によって、測定ギャップを適用することなく、関連帯域の要請された上記周波数を測定することができるか否かを判定する。拡張されている場合、測定モジュール１０８は、上記測定ギャップを活性化することなく、所望の上記周波数帯域に対応する周波数に対して測定を実行する。拡張されていない場合、測定モジュール１０８は、全ての設定周波数に対する、又は所望の上記周波数帯域の選択された周波数／周波数らに対する上記測定ギャップを活性化して、所望の上記周波数帯域に対応する周波数に対して測定を実行する。したがって、ＵＥ１０４は、所望の上記周波数帯域に対する測定を含む測定レポートをｅＮＢ１０２に伝達する。
【００２０】
上記設定周波数帯域のうち一つに対応する特定の周波数に対する測定の要請がｅＮＢ１０２から受信された場合、測定モジュール１０８は、ＵＥ１０４のために構成された周波数帯域の全体周波数セットに対して、測定ギャップを活性化する必要がないことは当業者にとっては明らかである。これはＵＥ１０４のために構成された要請されなかった周波数帯域に対するデータ送受信のインタラプションを避けるようにする。すなわち、基地局１０２及びＵＥ１０４は、上記圧縮モードが適用されなかった上記周波数帯域と関連するキャリアに対するデータ活動を引続き実行する。
【００２１】
測定モジュール１０８が測定する上記周波数と関連する上記周波数帯域が上記設定周波数帯域のうち一つでないと判定する場合、測定モジュール１０８は、ＵＥ１０４が提供する全ての上記設定周波数帯域に対して測定ギャップを活性化する。したがって、測定モジュール１０８は、上記周波数帯域の各々と関連する上記周波数に対して測定を実行する。そして、ＵＥ１０４は上記測定情報を含む測定レポートを基地局１０２に伝達する。
【００２２】
図２は、一実施形態によるＵＭＴＳネットワーク環境で周波数帯域の周波数に対して測定を実行する方法の一例を示すフローチャート２００である。ステップ２０２で、所望の周波数帯域に対応する周波数に対する測定の要請が基地局１０２から受信される。ステップ２０４で、測定される周波数に対応する上記周波数帯域がＵＥ１０４のために構成された周波数帯域のうち一つであるか否かを判定する。選択周波数帯域がＵＥ１０４のために構成されれば、ステップ２０６で圧縮モードがＵＥ１０４の性能に対する上記周波数帯域の周波数に対して適用されるか否かを判定する。適用される場合、上記圧縮モードがステップ２０８で所望の周波数帯域の周波数に対して選択的に適用される。すなわち、上記圧縮モードが所望の上記周波数帯域に対応する（１つ以上の）周波数に適用されて、残りの周波数帯域には適用されない。したがって、データ活動が妨害されることなく、上記圧縮モードが適用されなかった上記残りの周波数帯域の周波数で実行されることができる。
【００２３】
一実施形態によれば、上記圧縮モードは、所望の上記周波数帯域に対応する一つ以上のキャリアに選択的に適用される。上記圧縮モードはキャリアインデックス（carrier index）に対して所望の上記周波数帯域に対応するキャリア別に選択的に適用される。上記キャリアインデックスは、ＩＥｓ ＤＰＣＨ圧縮モード情報及び／又はＤＰＣＨ圧縮モード状態情報で提供される。したがって、上記キャリアインデックス情報を利用してシグナリングが次のような方法で達成される。
【００２４】
第１の場合、上記定義されたメッセージセットが上記ＤＰＣＨ圧縮モード情報で上記圧縮モードを構成する。上記キャリアインデックスは、測定制御情報メッセージの一部である上記ＤＰＣＨ圧縮モード状態情報に追加される。この場合、上記ＵＴＭＳネットワークが圧縮モード伝送ギャップパターンを構成することができ、上記圧縮モード伝送ギャップパターンを非活性化状態にすることができる。以後、上記測定要求によって、基地局１０２は、測定制御メッセージ伝送時、上記ＤＰＣＨ圧縮モード状態情報の一部として新しいキャリアインデックスを含むキャリア別に上記圧縮モード伝送ギャップパターンを活性化することができる。
【００２５】
他の場合、定義された上記メッセージセットが上記キャリアインデックスも含む上記ＤＰＣＨ圧縮モード情報で上記圧縮モードを構成する。その場合、基地局１０２は、キャリア別に、又はキャリアグループ別に圧縮モード伝送ギャップパターンを構成する。以後、基地局１０２が周波数帯域に対応する周波数のための測定を実行する測定制御メッセージを伝送する場合、ＵＥ１０４は、上記測定が該当キャリアのための上記圧縮モード伝送ギャップパターンセットによって実行される必要がある特定の周波数帯域に対応するキャリアでしか圧縮モードを活性化しない。
【００２６】
さらに他の場合、上記ＩＥｓ ＤＰＣＨ圧縮モード情報と上記ＤＰＣＨ圧縮モード状態情報は新しいキャリアインデックスを含む。したがって、上記圧縮モードが新しいキャリアインデックスを利用して上記キャリアで活性化及び／又は非活性化が実行される。
【００２７】
更なるほかの場合、キャリア別に、又はキャリアグループ別に圧縮モードを構成する場合、圧縮モード伝送ギャップパターンパラメータは、全体ＵＥ１０４（すなわち、作動中である全体上記キャリア、又は上記周波数帯域）が上記圧縮モードで進行されて上記周波数帯域でデータ損傷をもたらすことができないように設定されることができる。これは異なる周波数帯域に属する上記キャリアのための異なるＣＭパラメータセットを定義して達成されることができる。
【００２８】
上記圧縮モードが基地局１０２により要請されて構成される場合、所望の上記周波数帯域に対応する上記キャリアに対する圧縮モードの適用可能性が基地局１０２に報告される。上記圧縮モードの適用可能性を上記メッセージと共に実行される圧縮モード構成か、又は測定制御メッセージ受信時に報告する。
【００２９】
ステップ２１０で、上記圧縮モードの中に形成された伝送ギャップで上記周波数帯域に対応する周波数に対して測定が実行される。ステップ２１２で、上記周波数帯域に対応する上記周波数と関連する測定を含む測定レポートが基地局１０２に送信される。上記圧縮モードが適用されないと、ステップ２１４で、上記周波数で圧縮モードを適用することなく、上記周波数帯域に対応する周波数で測定が実行され、ステップ２１２が実行される。
【００３０】
ステップ２０４で、上記周波数帯域がＵＥ１０４のために構成されず、ＵＥ１０４の性能によって測定を実行するために圧縮モードが必要であると判定されると、ステップ２１６で、圧縮モードが上記設定周波数帯域で実質的に同時に適用されてステップ２１０が実行される。又は、上記周波数帯域がＵＥ１０４のために構成されず、ＵＥ１０４の性能によって測定を実行するために圧縮モードが必要である場合、無線周波数チェーンがＵＥ１０４のために構成された周波数と測定が実行される上記周波数と関連する上記周波数帯域との間に共有されて、上記設定周波数帯域のキャリアがデータ送受信のために使用されるようにする基地局１０２により上記周波数帯域のうち一つのキャリアで上記圧縮モードが構成される。基地局１０２は、ＵＥ１０４で提供される上記周波数帯域組合によるＲＦチェーンスプリット情報（ＲＦ chain split information）を得る。又は、ＵＥ１０４は、周波数帯域に対応する周波数に対して測定を実行するための要請を受信する前にＲＦチェーンスプリット情報を基地局１０２に伝達する。
【００３１】
図３は、他の実施形態によるＬＴＥネットワーク環境で、周波数帯域の周波数に対する測定を実行する方法の一例を示すフローチャート３００である。ステップ３０２で、所望の周波数帯域に対応する周波数に対する測定の要請が基地局１０２から受信される。ステップ３０４で、測定される上記周波数に対応する上記周波数帯域がＵＥ１０４のために構成された周波数帯域のうち一つであるか否かを判定する。選択周波数帯域がＵＥ１０４のために構成された場合、ステップ３０６で、測定ギャップがＵＥ１０４の性能に対して、所望の上記周波数帯域の上記周波数に対して活性化されるか否かを判定する。活性化される場合、測定ギャップは、ステップ３０８で、上記周波数帯域の周波数に対して選択的に活性化される。すなわち、上記測定ギャップが所望の上記周波数帯域に対する周波数／周波数らに対して活性化されて、残りの周波数帯域に対する（１つ以上の）周波数に対しては活性化されない。したがって、データ活動は妨害されることなく、上記圧縮モードが適用されない上記残りの周波数帯域の周波数で実行されることができる。
【００３２】
上記測定ギャップが周波数帯域で全体コンポーネントキャリアのために活性化される。又は、上記測定ギャップがコンポーネントキャリアのセットの中で一つ以上のコンポーネントキャリアのために活性化される。例えば、上記測定ギャップが上記コンポーネントキャリアで少なくとも一つのコンポーネントキャリアが活性化されて、ＵＥ１０４と基地局１０２間のデータ活動が妨害されないようにキャリア別に活性化される。コンポーネントキャリアに対して、上記測定ギャップパターンをインターリービング（interleave）するために、構成別に異なるＳＦＮやギャップオフセットによって活性化時間が使用されることができる。
【００３３】
一実施形態によれば、上記測定ギャップが情報要素（ＩＥ）セルインデックス（information element cell index）及び／又は測定ギャップ構成情報要素（measurement gap configuration information element）によって、特定周波数帯域に対応する一つ以上のコンポーネントキャリアのために活性化される。上記ＩＥセルインデックス及び／又は測定ギャップ構成情報要素が測定構成情報要素（measurement object information element）、リポート構成情報要素（report configuration information element）、又は測定識別子情報要素（measurement identifier information element）に追加される。本実施形態で、上記ＩＥセルインデックスが測定対象に適用されれば、該当コンポーネントキャリアが通常測定ギャップ構成（common measurement gap configuration）を使用することができる。
【００３４】
他の実施形態によれば、新しい情報要素は、測定対象、測定識別子、リポート構成、及び／又は測定ギャップが適用される該当ＩＥセルインデックスに適用されることができる上記測定ギャップ構成をリンクすることができる測定構成情報要素の一部として定義される。もう一つの実施形態によれば、新しい情報要素は測定対象、測定識別子、及び／又はリポート構成及びその組合のために測定ギャップを構成する上記ＩＥセルインデックスをリンクすることができる測定構成情報要素の一部として定義することができる。
【００３５】
上記測定ギャップが基地局１０２により要求されて構成される場合、所望の上記周波数帯域に対応するコンポーネントキャリアセットに対して、上記測定ギャップの適用可能性を基地局１０２に報告することができる。上記測定ギャップの適用可能性は、無線リソース接続再構成完成メッセージ（radio resource connection reconfiguration complete message）内で報告される。
【００３６】
ステップ３１０で、上記測定ギャップ内の所望の上記周波数帯域に対応する上記周波数に対して測定が実行される。ステップ３１２で、所望の上記周波数帯域に対応する上記周波数と関連する測定を含む測定レポートは、基地局１０２に送られる。上記測定ギャップが活性化されない場合、ステップ３１４で、所望の上記周波数で上記測定ギャップを活性化することなく、所望の上記周波数帯域に対応する周波数に対して測定が実行されて、ステップ３１２が実行される。一実施形態によれば、非活性化されて構成されなかったコンポーネントキャリア（ＵＥ１０４の性能下のコンポーネントキャリア）を利用して、所望の上記周波数帯域の周波数に対する測定が実行される。他の実施形態によれば、非活性化された２次セルを利用して、所望の上記周波数帯域の周波数に対して測定が実行される。例えば、上記２次セルは、上記周波数に対する測定ギャップを活性化することなく、上記周波数に対する測定を実行するために非活性化されることができる。
【００３７】
ステップ３０４で、上記周波数帯域がＵＥ１０４のために構成されず、測定ギャップがＵＥ１０４の性能によって測定を実行する必要があると判定される場合、ステップ３１６で、上記設定周波数帯域に対して実質的に同時に測定ギャップが適用されてステップ３１０が実行される。又は、上記周波数帯域がＵＥ１０４のために構成されず、測定ギャップがＵＥ１０４の性能によって測定を実行する必要がある場合、上記測定ギャップは、無線周波数チェーンがＵＥ１０４のために構成された周波数帯域と測定が実行される上記周波数と関連する上記周波数帯域との間に共有されて、上記設定周波数帯域のキャリアがデータ送受信のために使用されるようにする基地局１０２により上記周波数帯域のキャリアに対して構成される。基地局１０２は、ＵＥ１０４が提供する上記周波数帯域組合によるＲＦチェーンスプリット情報を得る。又は、ＵＥ１０４は、周波数帯域に対応する周波数に対して測定を実行するための要請を受ける前に上記ＲＦチェーンスプリット情報を基地局１０２に伝達する。
【００３８】
周波数のための測定要請を受信する場合、上記ＵＥＣＡ性能（ＵＥＣＡ capability）が現在構成された設定周波数を受信／測定する性能を有するＵＥ１０４か、又は一つ以上の帯域が現在構成されたことより拡張されていると、ＵＥ１０４は、使用されていないＣＣのセットと該当ＲＦチェーンを利用して測定ギャップを活性化することなく、上記周波数に対して測定を実行することができる。これはＵＥ性能の一部として基地局１０２に伝達される。
【００３９】
図４は、本願発明の実施形態を実現するための多様な構成要素を示すＵＥ１０４のブロック図である。図４で、基地局１０２は、プロセッサ４０２、メモリ４０４、ＲＯＭ（read only memory）４０６、送受信器４０８、バス４１０、及び通信インターフェース４１２を含む。
【００４０】
ここで使用されたプロセッサ４０２は、マイクロ・プロセッサ、マイクロコントローラ、ＣＩＳＣ（Complex Instruction Set Computing）マイクロ・プロセッサ、ＲＩＳＣ（Reduced Instruction Set Computing）マイクロ・プロセッサ、ａＶＬＩＷ（Very Long Instruction Word）マイクロ・プロセッサ、ＥＰＩＣ（Explicitly Parallel Instruction Computing）マイクロ・プロセッサ、グラフィック処理装置（graphics processor）、デジタル信号処理器（ＤＳＰ:Digital Signal Processor）、又は、ある種類の処理回路などあらゆる種類のコンピュータ回路を意味して、上記に限定されない。プロセッサ４０２は、また、一般又はプログラム可能論理回路又は論理配列、特定用途向け集積回路（ＡＳＩＣ:application specific integrated circuit）、単一チップコンピュータ、スマートカードなどの内蔵制御機も含むことができる。
【００４１】
メモリ４０４は、揮発性メモリ、又は不揮発性メモリであり得る。メモリ４０４は、図１乃至図３で示す実施形態によって、周波数帯域で周波数に対して測定を実行する測定モジュール１０８を含む。コンピュータで判読可能な多様な記憶媒体が記憶素子に記憶されて記憶素子からアクセスされる。記憶素子はＲＯＭ（read only memory）、ＲＡＭ（random access memory）、ＥＰＲＯＭ（erasable programmable read only memory）、ＥＥＰＲＯＭ（electrically erasable programmable read only memory）、ハードドライブ、メモリカードを扱う移動式メディアドライブ、メモリスティック（登録商標）などのデータと機械可読命令を記憶するに適合した記憶装置であれば、どれでも含むことができる。
【００４２】
本発明の実施形態は、タスクを実行するか、抽象データ型、又は低レベルハードウェアコンテクストを定義するための、機能、プロシージャ、データ構造、及びアプリケーションプログラムを含むモジュールで実現される。上記記憶メディアに記憶された機械可読型命令は、プロセッサ４０２により実行可能である。例えば、コンピュータプログラムは、本発明の教示及び上記した実施形態によって、選択された周波数帯域の周波数に対して測定を実行することができる機械可読型命令を含むことができる。一実施形態によれば、コンピュータプログラムは、記憶媒体に記憶されて、記憶媒体で不揮発性メモリのハードディスクでにローディングされる。
【００４３】
本実施形態は、特定の実施形態を参考して記述されたが、多様な実施形態及び変更が多様な実施形態のより広い思想及び範囲を逸脱することなく、これら実施形態に対して実行されることができることは明らかである。 また、ここに記載された多様な機構、モジュールなどが例えば、 相報型金属酸化膜半導体基盤論理回路（metal oxide semiconductor based logic circuitry）、ファームウェア、ソフトウェア及び／または機械可読型メディアに内蔵されたハードウェア、ファームウェア及び／又はソフトウェアの任意の組合などのハードウェア回路を利用して実現、または作動されることができる。例えば、多様な電気構造及び方法がトランジスター、論理ゲート、特定用途向け集積回路などの電気回路を利用して実施される。
【符号の説明】
【００４４】
１００  無線通信システム
１０２  基地局
１０４  ユーザ端末
１０６  無線ネットワーク
１０８  測定モジュール
４０２  プロセッサ
４０４  メモリ
４０６  ＲＯＭ（ｒｅａｄ  ｏｎｌｙ  ｍｅｍｏｒｙ）
４０８  送受信器
４１０  バス
４１２  通信インターフェース
【図１】
0006505159.tif 000002
【図２】
0006505159.tif 000003
【図３】
0006505159.tif 000004
【図４】
0006505159.tif 000005